(57)【特許請求の範囲】
【請求項１】
第１無線基地局から第２無線基地局へのリレーノードのハンドオーバ手順において、該第１無線基地局が、該リレーノードに対して、所定タイミングを通知する工程Ａと、
前記第２無線基地局が、前記所定タイミングで前記リレーノードに対して下り信号を送信するようにスケジューリングを行う工程Ｂと、
前記リレーノードが、前記所定タイミング以外のタイミングで下り信号を送信するようにスケジューリングを行う工程Ｃとを有することを特徴とする移動通信方法。
【請求項２】
前記工程Ａにおいて、前記第１無線基地局は、前記リレーノードに対して、「ＨＯ  Ｃｏｍｍａｎｄ」によって、前記所定タイミングを通知することを特徴とする請求項１に記
載の移動通信方法。
【請求項３】
前記リレーノードが、前記第２無線基地局によって送信されている報知情報に基づいて、該第２無線基地局との間の同期処理を行う工程Ｄと、
前記リレーノードが、前記第２無線基地局に対して、前記同期処理の結果を通知する工程Ｅとを有することを特徴とする請求項１に記載の移動通信方法。
【請求項４】
前記リレーノードは、前記同期処理が完了した後、前記第２無線基地局配下のリレーノード用の報知情報の送信を開始する工程Ｆを更に有することを特徴とする請求項３に記載の移動通信方法。
【請求項５】
前記所定タイミングは、ＭＢＳＦＮサブフレームの送信タイミングであることを特徴とする請求項１乃至４のいずれか一項に記載の移動通信方法。
【請求項６】
第１無線基地局から第２無線基地局へのリレーノードのハンドオーバ手順において該第１無線基地局として動作する無線基地局であって、
前記ハンドオーバ手順において、前記リレーノードに対して、下り信号を送信するようにスケジューリングを行う前記第２無線基地局で用いる予定の所定タイミングを通知するように構成されている通知部を具備することを特徴とする無線基地局。
【請求項７】
前記通知部は、前記リレーノードに対して、「ＨＯ  Ｃｏｍｍａｎｄ」によって、前記所定タイミングを通知するように構成されていることを特徴とする請求項６に記載の無線基地局。
【請求項８】
前記所定タイミングは、ＭＢＳＦＮサブフレームの送信タイミングであることを特徴とする請求項６又は７に記載の無線基地局。
【発明の詳細な説明】
【技術分野】
【０００１】
本発明は、移動通信方法、無線基地局及びリレーノードに関する。
【背景技術】
【０００２】
ＬＴＥ（Ｌｏｎｇ  Ｔｅｒｍ  Ｅｖｏｌｕｔｉｏｎ）方式の後継の通信方式であるＬＴＥ-Ａｄｖａｎｃｅｄ方式の移動通信システムでは、移動局ＵＥと無線基地局ＤｅＮＢ（Ｄｏｎｏｒ  ｅＮＢ）との間に、無線基地局ＤｅＮＢと同様な機能を具備する「リレーノード（Ｒｅｌａｙ  Ｎｏｄｅ）ＲＮ」を接続することができる。
【０００３】
かかるＬＴＥ-Ａｄｖａｎｃｅｄ方式の移動通信システムでは、移動局ＵＥとコアノードＣＮ（Ｃｏｒｅ  Ｎｏｄｅ）との間で、Ｅ-ＲＡＢ（Ｅ-ＵＴＲＡＮ  Ｒａｄｉｏ  Ａｃｃｅｓｓ  Ｂｅａｒｅｒ）が設定され、移動局ＵＥとリレーノードＲＮとの間で、Ｕｕ無線ベアラが設定され、リレーノードＲＮと無線基地局ＤｅＮＢとの間で、Ｕｎ無線ベアラが設定され、無線基地局ＤｅＮＢとコアノードＣＮとの間で、Ｓ１ベアラが設定されるように構成されている。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【非特許文献３】３ＧＰＰ  ＴＳ３６.３３１（Ｖ８.６.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年６月
【非特許文献４】３ＧＰＰ  Ｒ１-０８４６８６、「Ｕｐｄａｔｅｄ  ＷＦ ｏｎ  ａｄｄｒｅｓｓｉｎｇ  ｆｏｒｗａｒｄ  ｃｏｍｐａｔｉｂｉｌｉｔｙ  ｉｎ  Ｒｅｌ-８」、２００８年１１月
【発明の概要】
【発明が解決しようとする課題】
【０００５】
しかしながら、かかる移動通信システムにおいて、リレーノードが、第１無線基地局Ｓ-ＤｅＮＢから第２無線基地局Ｔ-ＤｅＮＢにハンドオーバした場合に、リレーノードＲＮによる第２無線基地局Ｔ-ＤｅＮＢからの下り信号の受信処理（Ｕｎ無線ベアラにおける受信処理）とリレーノードＲＮによる移動局ＵＥへの下り信号の送信処理（Ｕｕ無線ベアラにおける送信処理）とが同時に行われたり、リレーノードＲＮによる移動局ＵＥからの上り信号の受信処理（Ｕｕ無線ベアラにおける受信処理）とリレーノードＲＮによる第２無線基地局Ｔ-ＤｅＮＢへの上り信号の送信処理（Ｕｎ無線ベアラにおける送信処理）とが同時に行われたりすると、リレーノードＲＮの送信信号がリレーノードＲＮ自身の受信機に回り込み、干渉が発生してしまうという問題点があった。
【０００６】
そこで、本発明は、上述の課題に鑑みてなされたものであり、リレーノードが第１無線基地局Ｓ-ＤｅＮＢから第２無線基地局Ｔ-ＤｅＮＢにハンドオーバした場合であっても、Ｕｎ無線ベアラにおける送受信処理及びＵｕ無線ベアラにおける送受信処理が同時に行われることから引き起こされるリレーノード自身の受信機への干渉を低減することができる移動通信方法、無線基地局及びリレーノードを提供することを目的とする。
【課題を解決するための手段】
【０００７】
本発明の第１の特徴は、移動通信方法であって、第１無線基地局から第２無線基地局へのリレーノードのハンドオーバ手順において、該第１無線基地局が、該リレーノードに対して、所定タイミングを通知する工程Ａと、前記第２無線基地局が、前記所定タイミングで前記リレーノードに対して下り信号を送信するようにスケジューリングを行う工程Ｂと、前記リレーノードが、前記所定タイミング以外のタイミングで下り信号を送信するようにスケジューリングを行う工程Ｃとを有することを要旨とする。
【０００８】
本発明の第２の特徴は、第１無線基地局から第２無線基地局へのリレーノードのハンドオーバ手順において該第１無線基地局として動作する無線基地局であって、前記ハンドオーバ手順において、前記リレーノードに対して、下り信号を送信するようにスケジューリングを行う前記第２無線基地局で用いる予定の所定タイミングを通知するように構成されている通知部を具備することを要旨とする。
【０００９】
本発明の第３の特徴は、リレーノードであって、第１無線基地局から第２無線基地局へのハンドオーバ手順において、該第１無線基地局から、下り信号を送信するようにスケジューリングを行う前記第２無線基地局で用いる予定の所定タイミングを取得するように構成されている取得部と、前記所定タイミング以外のタイミングで下り信号を送信するようにスケジューリングを行うように構成されているスケジューリング部とを具備することを要旨とする。
【発明の効果】
【００１０】
以上説明したように、本発明によれば、リレーノードが第１無線基地局Ｓ-ＤｅＮＢから第２無線基地局Ｔ-ＤｅＮＢにハンドオーバした場合であっても、Ｕｎ無線ベアラにおける送受信処理及びＵｕ無線ベアラにおける送受信処理が同時に行われることから引き起こされるリレーノード自身の受信機への干渉を低減することができる移動通信方法、無線基地局及びリレーノードを提供することができる。
【図面の簡単な説明】
【００１１】
【図１】本発明の第１の実施形態に係る移動通信システムの全体構成図である。
【図２】本発明の第１の実施形態に係る無線基地局の機能ブロック図である。
【図３】本発明の第１の実施形態に係るリレーノードの機能ブロック図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態の変更例１に係る移動通信システムの動作を示すシーケンス図である。
【発明を実施するための形態】
【００１２】
（本発明の第１の実施形態に係る移動通信システムの構成）
図１乃至図３を参照して、本発明の第１の実施形態に係る移動通信システムの構成について説明する。
【００１３】
図１に示すように、本実施形態に係る移動通信システムは、ＬＴＥ-Ａｄｖａｎｃｅｄ方式の移動通信システムであって、コアネットワークノード内のコアノード（例えば、ゲートウェイ装置Ｓ-ＧＷや交換局ＭＭＥ等）や、第１無線基地局Ｓ-ＤｅＮＢや、第２無線基地局Ｔ-ＤｅＮＢや、リレーノードＲＮ等を具備している。
【００１４】
ここで、図１の例では、第２無線基地局Ｔ-ＤｅＮＢと移動局ＵＥとの間には、Ｕｕ無線ベアラが設定されており、第２無線基地局Ｔ-ＤｅＮＢとリレーノードＲＮとの間には、Ｕｎ無線ベアラが設定されており、リレーノードＲＮと移動局ＵＥとの間には、Ｕｕ無線ベアラが設定されている。
【００１５】
また、本実施形態では、リレーノードＲＮが、第１無線基地局Ｓ-ＤｅＮＢから第２無線基地局Ｔ-ＤｅＮＢにハンドオーバする場合の例について説明する。
【００１６】
また、第１無線基地局Ｓ-ＤｅＮＢ、第２無線基地局Ｔ-ＤｅＮＢ及びリレーノードＲＮは、時分割多重方式で、上り信号及び下り信号を送信するように構成されている。
【００１７】
図２に示すように、無線基地局ＤｅＮＢ（第１無線基地局Ｓ-ＤｅＮＢ及び第２無線基地局Ｔ-ＤｅＮＢ）は、Ｕｎインターフェイス機能１１と、Ｘ２インターフェイス機能１２と、Ｕｕインターフェイス機能１３とを具備している。
【００１８】
Ｕｎインターフェイス機能１１は、リレーノードＲＮとの間のインターフェイスとして機能し、Ｘ２インターフェイス機能１２は、他の無線基地局ＤｅＮＢとの間のインターフェイスとして機能し、Ｕｕインターフェイス機能１３は、移動局ＵＥとの間のインターフェイスとして機能する。
【００１９】
無線基地局ＤｅＮＢが、第１無線基地局Ｓ-ＤｅＮＢとして動作している場合、Ｕｎインターフェイス機能１１は、第１無線基地局Ｓ-ＤｅＮＢから第２無線基地局Ｔ-ＤｅＮＢへのリレーノードＲＮのハンドオーバ手順において、リレーノードＲＮに対して、第１無線基地局Ｓ-ＤｅＮＢにおいて下り信号を送信するようにスケジューリングを行っているＭＢＳＦＮサブフレーム（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）の送信タイミング（所定タイミング）を通知するように構成されている。
【００２０】
具体的には、無線基地局ＤｅＮＢが、第１無線基地局Ｓ-ＤｅＮＢとして動作している場合、Ｕｎインターフェイス機能１１は、リレーノードＲＮに対して、「ＨＯ  Ｃｏｍｍａｎｄ」によって、ＭＢＳＦＮサブフレームの送信タイミングを通知するように構成されていてもよい。
【００２１】
ここで、ＭＢＳＦＮサブフレームは、ＭＢＳＦＮ用通信で用いられるサブフレームである。なお、本明細書において、ＭＢＳＦＮサブフレームには、３ＧＰＰ会合において「Ｂｌａｎｋサブフレーム」と呼ばれている制御信号用ＯＦＤＭシンボルが送信されないように規定されているＭＢＳＦＮサブフレームも含まれるものとする。
【００２２】
Ｕｎインターフェイス機能１１は、無線基地局ＤｅＮＢ配下のリレーノードＲＮに係るスケジューリングを行うように構成されており、Ｕｕインターフェイス機能１３は、無線基地局ＤｅＮＢ配下の移動局ＵＥに係るスケジューリングを行うように構成されている。
【００２３】
具体的には、Ｕｎインターフェイス機能１１及びＵｕインターフェイス機能１３は、ＭＢＳＦＮサブフレームの送信タイミングでリレーノードＲＮ及び移動局ＵＥに対して下り信号を送信するようにスケジューリングを行うように構成され、ＭＢＳＦＮサブフレーム以外の送信タイミングでは、移動局ＵＥに対してのみ下り信号を送信するようにスケジューリングを行うように構成されている。
【００２４】
Ｘ２インターフェイス機能１２は、他の無線基地局ＤｅＮＢとの間で、Ｘ２ハンドオーバに係る制御信号の送受信を行うように構成されている。
【００２５】
図３に示すように、リレーノードＲＮは、Ｕｎインターフェイス機能２１と、Ｕｕインターフェイス機能２２とを具備している。
【００２６】
Ｕｎインターフェイス機能２１は、無線基地局ＤｅＮＢ（第１無線基地局Ｓ-ＤｅＮＢや第２無線基地局Ｔ-ＤｅＮＢ）との間のインターフェイスとして機能し、Ｕｕインターフェイス機能２２は、移動局ＵＥとの間のインターフェイスとして機能する。
【００２７】
Ｕｎインターフェイス機能２１は、第１無線基地局Ｓ-ＤｅＮＢから第２無線基地局Ｔ-ＤｅＮＢへのハンドオーバ手順において、第１無線基地局Ｓ-ＤｅＮＢから、下り信号を送信するようにスケジューリングを行う第２無線基地局Ｔ-ＤｅＮＢで用いる予定のＭＢＳＦＮサブフレームの送信タイミングを取得するように構成されている。
【００２８】
具体的には、Ｕｎインターフェイス機能２１は、かかるハンドオーバ手順において、「ＨＯ  Ｃｏｍｍａｎｄ」から、第２無線基地局Ｔ-ＤｅＮＢで用いる予定のＭＢＳＦＮサブフレームの送信タイミングを取得するように構成されていてもよい。
【００２９】
Ｕｕインターフェイス機能２２は、ＭＢＳＦＮサブフレームの送信タイミング以外のタイミングで下り信号を送信するようにスケジューリングを行うように構成されている。
【００３０】
（本発明の第１の実施形態に係る移動通信システムの動作）
図４及び図５を参照して、本発明の第１の実施形態に係る移動通信システムの動作について説明する。
【００３１】
第１に、図４を参照して、本発明の第１の実施形態に係る移動通信システムにおいてリレーノードＲＮが第１無線基地局Ｓ-ＤｅＮＢから第２無線基地局Ｔ-ＤｅＮＢにＸ２ハンドオーバを行う場合の動作について説明する。
【００３２】
図４に示すように、ステップＳ１００１において、リレーノードＲＮと通信中の第１無線基地局Ｓ-ＤｅＮＢが、リレーノードＲＮに対して、「Ｍｅａｓｕｒｅｍｅｎｔ  Ｃｏｎｔｒｏｌ」を送信する。
【００３３】
ステップＳ１００２において、リレーノードＲＮは、「Ｍｅａｓｕｒｅｍｅｎｔ  Ｃｏｎｔｒｏｌ」に従って、第１無線基地局Ｓ-ＤｅＮＢに対して、「Ｍｅａｓｕｒｅｍｅｎｔ  Ｒｅｐｏｒｔ」を送信する。
【００３４】
ステップＳ１００３において、第１無線基地局Ｓ-ＤｅＮＢは、上述のＸ２ハンドオーバを実施すべきであると判定した場合、第２無線基地局Ｔ-ＤｅＮＢに対して、かかるＸ２ハンドオーバを実施するように要求するための「ＨＯ  Ｒｅｑｕｅｓｔ」を送信する。
【００３５】
ここで、第１無線基地局Ｓ-ＤｅＮＢは、第２無線基地局Ｔ-ＤｅＮＢに対して、「ＨＯ  Ｒｅｑｕｅｓｔ」によって、リレーノードＲＮのＭＢＳＦＮサブフレームの送信タイミングを通知する。
【００３６】
ステップＳ１００４において、第２無線基地局Ｔ-ＤｅＮＢは、受信した「ＨＯ  Ｒｅｑｕｅｓｔ」に応じて、第１無線基地局Ｓ-ＤｅＮＢに対して、「ＨＯ  Ｒｅｑｕｅｓｔ  ＡＣＫ」を送信する。
【００３７】
ここで、第２無線基地局Ｔ-ＤｅＮＢは、第１無線基地局Ｓ-ＤｅＮＢから通知されたリレーノードＲＮのＭＢＳＦＮサブフレームの送信タイミングについて割り当て可能であるか否かについて、第２無線基地局Ｔ-ＤｅＮＢに接続しているリレーノードＲＮの数及びデータトラフィック量から判定する。
【００３８】
第２無線基地局Ｔ-ＤｅＮＢは、かかるリレーノードＲＮのＭＢＳＦＮサブフレームの送信タイミングについて割り当て可能であると判定した場合、第１無線基地局Ｓ-ＤｅＮＢに対して、「ＨＯ  Ｒｅｑｕｅｓｔ  ＡＣＫ」によって、かかるＭＢＳＦＮサブフレームの送信タイミングを通知する。
【００３９】
一方、第２無線基地局Ｔ-ＤｅＮＢは、かかるリレーノードＲＮのＭＢＳＦＮサブフレームの送信タイミングについて割り当て不可能であると判定した場合、第１無線基地局Ｓ-ＤｅＮＢに対して、リレーノードＲＮに対して割り当て可能なＭＢＳＦＮサブフレームの送信タイミングを通知する。
【００４０】
ステップＳ１００５において、第１無線基地局Ｓ-ＤｅＮＢは、受信した「ＨＯ  Ｒｅｑｕｅｓｔ  ＡＣＫ」に応じて、リレーノードＲＮに対して、「ＨＯ  Ｃｏｍｍａｎｄ」を送信する。
【００４１】
ここで、第１無線基地局Ｓ-ＤｅＮＢは、リレーノードＲＮに対して、「ＨＯ  Ｃｏｍｍａｎｄ」によって、上述の第２無線基地局Ｔ-ＤｅＮＢによって許可されたＭＢＳＦＮサブフレームの送信タイミングを通知する。
【００４２】
ステップＳ１００６において、リレーノードＲＮは、第１無線基地局Ｓ-ＤｅＮＢからデタッチし、第２無線基地局Ｔ-ＤｅＮＢとの間でＳＦＮ同期を確立して、第２無線基地局Ｔ-ＤｅＮＢとの間の通信を開始する。
【００４３】
第２に、図５を参照して、本発明の第１の実施形態に係る移動通信システムにおいてリレーノードＲＮが第１無線基地局Ｓ-ＤｅＮＢから第２無線基地局Ｔ-ＤｅＮＢにＳ１ハンドオーバを行う場合の動作について説明する。
【００４４】
図５に示すように、ステップＳ２００１において、リレーノードＲＮと通信中の第１無線基地局Ｓ-ＤｅＮＢが、リレーノードＲＮに対して、「Ｍｅａｓｕｒｅｍｅｎｔ  Ｃｏｎｔｒｏｌ」を送信する。
【００４５】
ステップＳ２００２において、リレーノードＲＮは、「Ｍｅａｓｕｒｅｍｅｎｔ  Ｃｏｎｔｒｏｌ」に従って、第１無線基地局Ｓ-ＤｅＮＢに対して、「Ｍｅａｓｕｒｅｍｅｎｔ  Ｒｅｐｏｒｔ」を送信する。
【００４６】
ステップＳ２００３において、第１無線基地局Ｓ-ＤｅＮＢは、上述のＳ１ハンドオーバを実施すべきであると判定した場合、第１無線基地局Ｓ-ＤｅＮＢが接続されている交換局ＭＭＥに対して、かかるＸ２ハンドオーバを実施するように要求するための「ＨＯ  Ｒｅｑｕｉｒｅｄ」を送信する。
【００４７】
ここで、第１無線基地局Ｓ-ＤｅＮＢは、第２無線基地局Ｔ-ＤｅＮＢに対して、「ＨＯ  Ｒｅｑｕｉｒｅｄ」によって、リレーノードＲＮのＭＢＳＦＮサブフレームの送信タイミングを通知する。
【００４８】
第２無線基地局Ｔ-ＤｅＮＢは、ステップＳ２００４において、第２無線基地局Ｔ-ＤｅＮＢが接続されている交換局ＭＭＥから、「ＨＯ  Ｒｅｑｕｅｓｔ」受信する。
【００４９】
ここで、第２無線基地局Ｔ-ＤｅＮＢは、交換局ＭＭＥから、「ＨＯ  Ｒｅｑｕｅｓｔ」によって、リレーノードＲＮが第１無線基地局Ｓ-ＤｅＮＢで割り当てられていたＭＢＳＦＮサブフレームの送信タイミングを受信する。
ステップＳ２００５において、受信した「ＨＯ  Ｒｅｑｕｅｓｔ」に応じて、かかる交換局ＭＭＥに対して、「ＨＯ  Ｒｅｑｕｅｓｔ  ＡＣＫ」を送信する。
【００５０】
ここで、第２無線基地局Ｔ-ＤｅＮＢは、第１無線基地局Ｓ-ＤｅＮＢから通知されたリレーノードＲＮのＭＢＳＦＮサブフレームの送信タイミングが割り当て可能である否かについて、第２無線基地局Ｔ-ＤｅＮＢに接続しているリレーノードＲＮの数及びデータトラフィック量から判定する。
【００５１】
第２無線基地局Ｔ-ＤｅＮＢは、かかるリレーノードＲＮのＭＢＳＦＮサブフレームの送信タイミングについて割り当て可能であると判定した場合、第１無線基地局Ｓ-ＤｅＮＢに対して、「ＨＯ  Ｒｅｑｕｅｓｔ  ＡＣＫ」によって、かかるＭＢＳＦＮサブフレームの送信タイミングを通知する。
【００５２】
一方、第２無線基地局Ｔ-ＤｅＮＢは、かかるリレーノードＲＮのＭＢＳＦＮサブフレームの送信タイミングについて割り当て不可能であると判定した場合、第１無線基地局Ｓ-ＤｅＮＢに対して、リレーノードＲＮに対して割り当て可能なＭＢＳＦＮサブフレームの送信タイミングを通知する。
【００５３】
ステップＳ２００６において、第１無線基地局Ｓ-ＤｅＮＢが接続されている交換局ＭＭＥは、第１無線基地局Ｓ-ＤｅＮＢに対して、「ＨＯ  Ｃｏｍｍａｎｄ」を送信し、ステップＳ２００７において、第１無線基地局Ｓ-ＤｅＮＢは、リレーノードＲＮに対して、「ＨＯ  Ｃｏｍｍａｎｄ」を送信する。
【００５４】
ここで、交換局ＭＭＥは、第１無線基地局Ｓ-ＤｅＮＢに対して、「ＨＯ  Ｃｏｍｍａｎｄ」によって、上述のＭＢＳＦＮサブフレームの送信タイミングを通知し、第１無線基地局Ｓ-ＤｅＮＢは、リレーノードＲＮに対して、「ＨＯ  Ｃｏｍｍａｎｄ」によって、上述のＭＢＳＦＮサブフレームの送信タイミングを通知する。
【００５５】
ステップＳ２００８において、リレーノードＲＮは、第１無線基地局Ｓ-ＤｅＮＢからデタッチし、第２無線基地局Ｔ-ＤｅＮＢとの間でＳＦＮ同期を確立して、第２無線基地局Ｔ-ＤｅＮＢとの間の通信を開始する。
【００５６】
（本発明の第１の実施形態に係る移動通信システムの作用・効果）
本発明の第１の実施形態に係る移動通信システムによれば、リレーノードＲＮが、第１無線基地局Ｓ-ＤｅＮＢから第２無線基地局Ｔ-ＤｅＮＢにハンドオーバを行う手順において、第１無線基地局Ｓ-ＤｅＮＢにおけるリレーノードＲＮに対して下り信号をスケジューリングするタイミングであるＭＢＳＦＮサブフレームの送信タイミングを取得することができるため、かかるハンドオーバが行われた場合であっても、リレーノードＲＮにおいてＵｎ無線ベアラにおける送受信処理及びＵｕ無線ベアラにおける送受信処理が同時に行われることを回避することができる。
【００５７】
（変更例１）
図６を参照して、本発明の第１の実施形態の変更例１に係る移動通信システムについて説明する。以下、本変更例１に係る移動通信システムについて、上述の本発明の第１の実施形態に係る移動通信システムとの相違点に着目して説明する。
【００５８】
本変更例１に係る移動通信システムでは、リレーノードＲＮの第１無線基地局Ｓ-ＤｅＮＢから第２無線基地局Ｔ-ＤｅＮＢへのハンドオーバが行われる場合に、かかるリレーノードＲＮのＵｎインターフェイス機能２１は、第２無線基地局Ｔ-ＤｅＮＢによって送信されている報知情報（ＳＩＢ：Ｓｙｓｔｅｍ  Ｉｎｆｏｒｍａｔｉｏｎ  Ｂｌｏｃｋ）に基づいて、第２無線基地局Ｔ-ＤｅＮＢとの間のＳＦＮ（Ｓｙｓｔｅｍ  Ｆｒａｍｅ  Ｎｕｍｂｅｒ）同期処理を行うように構成されており、第２無線基地局Ｔ-ＤｅＮＢに対して、ＳＦＮ同期処理の結果（成功ＯＫ又は失敗ＮＦＧ）を通知するように構成されている。
【００５９】
なお、かかるＳＦＮ同期処理とは、リレーノードＲＮと第２無線基地局Ｓ-ＤｅＮＢとの間で、ＳＦＮによって特定される無線フレームの先頭を一致させる処理を意味する。
【００６０】
ここで、リレーノードＲＮのＵｎインターフェイス機能２１は、上述のハンドオーバ手順における「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、ＳＦＮ同期処理の結果を通知するように構成されていてもよい。
【００６１】
また、リレーノードＲＮのＵｎインターフェイス機能２１は、無線基地局ＤｅＮＢとリレーノードＲＮとの間でＳＦＮ同期処理を行う代わりに、リレーノードＲＮが送信する無線フレームのＳＦＮと第２無線基地局Ｓ-ＤｅＮＢが送信する無線フレームのＳＦＮとが同時刻で何フレームずれているか（リレーノードＲＮと第２無線基地局Ｓ-ＤｅＮＢとの間のＳＦＮのずれ）について検出し、「ＲＲＣ  Ｃｏｎｎｅｃｔｉｏｎ  Ｒｅｃｏｎｆｉｇｕｒａｔｉｏｎ  Ｃｏｍｐｌｅｔｅ」等を用いて、かかる検出結果について無線基地局ＤｅＮＢに対して通知するように構成されていてもよい。
【００６２】
また、リレーノードＲＮのＵｕインターフェイス機能２２は、上述のＳＦＮ同期処理が完了した後、第２無線基地局Ｔ-ＤｅＮＢ配下のリレーノード用の報知情報の送信を開始するように構成されていてもよい。
【００６３】
すなわち、上述のハンドオーバ手順において、リレーノードＲＮのＵｕインターフェイス機能２２は、上述のＳＦＮ同期処理が完了する前は、第１無線基地局Ｓ-ＤｅＮＢ配下のリレーノード用の報知情報の送信を継続しているものとする。
【００６４】
また、無線基地局ＤｅＮＢが、第２無線基地局Ｔ-ＤｅＮＢとして動作している場合、かかる無線基地局ＤｅＮＢのＵｎインターフェイス機能１１は、リレーノードＲＮによって送信された「ＲＲＣ  Ｃｏｎｎｅｃｔｉｏｎ  Ｒｅｃｏｎｆｉｇｕｒａｔｉｏｎ  Ｃｏｍｐｌｅｔｅ」から、リレーノードＲＮによるＳＦＮ同期処理の結果を取得するように構成されていてもよい。
【００６５】
また、無線基地局ＤｅＮＢが、第２無線基地局Ｔ-ＤｅＮＢとして動作している場合、かかる無線基地局ＤｅＮＢのＵｎインターフェイス機能１１は、リレーノードＲＮによって送信された「ＲＲＣ  Ｃｏｎｎｅｃｔｉｏｎ  Ｒｅｃｏｎｆｉｇｕｒａｔｉｏｎ  Ｃｏｍｐｌｅｔｅ」から、リレーノードＲＮが送信する無線フレームのＳＦＮと第２無線基地局Ｓ-ＤｅＮＢが送信する無線フレームのＳＦＮとが同時刻で何フレームずれているか（リレーノードＲＮと第２無線基地局Ｓ-ＤｅＮＢとの間のＳＦＮのずれ）について把握するように構成されていてもよい。
【００６６】
以下、図６を参照して、本変更例１に係る移動通信システムの動作について説明する。
【００６７】
図６に示すように、ステップＳ３００１乃至Ｓ３００６の動作は、上述の図４におけるステップＳ１００１乃至Ｓ１００６の動作と同一である。また、図６におけるステップＳ３００１乃至Ｓ３００６の動作の代わりに、上述の図５におけるステップＳ２００１乃至Ｓ２００８の動作が用いられていてもよい。
【００６８】
ステップＳ３００７及びステップＳ３００８において、リレーノードＲＮと第２無線基地局Ｔ-ＤｅＮＢとの間で、ランダムアクセス手順が行われる。
【００６９】
ステップＳ３００９において、リレーノードＲＮは、第２無線基地局Ｔ-ＤｅＮＢによって送信されている報知情報に基づいて、第２無線基地局Ｔ-ＤｅＮＢとの間のＳＦＮ同期処理を行い、ランダムアクセス手順で割り当てられた上り信号用リソースを用いて、第２無線基地局Ｔ-ＤｅＮＢに対して、かかるＳＦＮ同期処理の結果（成功ＯＫ又は失敗ＮＦＧ）を通知する。
【００７０】
ステップＳ３０１０において、リレーノードＲＮは、配下の移動局ＵＥに対して送信する報知情報を、第１無線基地局Ｓ-ＤｅＮＢ配下のリレーノード用の報知情報から、第２無線基地局Ｔ-ＤｅＮＢ配下のリレーノード用の報知情報に変更する。
【００７１】
以上に述べた本実施形態の特徴は、以下のように表現されていてもよい。
【００７２】
本実施形態の第１の特徴は、移動通信方法であって、第１無線基地局Ｓ-ＤｅＮＢから第２無線基地局Ｔ-ＤｅＮＢへのリレーノードＲＮのハンドオーバ手順において、第１無線基地局Ｓ-ＤｅＮＢが、リレーノードＲＮに対して、ＭＢＳＦＮサブフレームの送信タイミング（所定タイミング）を通知する工程Ａと、第２無線基地局Ｔ-ＤｅＮＢが、ＭＢＳＦＮサブフレームの送信タイミングでリレーノードＲＮに対して下り信号を送信するようにスケジューリングを行う工程Ｂと、リレーノードＲＮが、ＭＢＳＦＮサブフレームの送信タイミング以外のタイミングで下り信号を送信するようにスケジューリングを行う工程Ｃとを有することを特徴とする。
【００７３】
本実施形態の第１の特徴において、工程Ａにおいて、第１無線基地局Ｓ-ＤｅＮＢは、リレーノードＲＮに対して、「ＨＯ  Ｃｏｍｍａｎｄ」によって、ＭＢＳＦＮサブフレームの送信タイミングを通知してもよい。
【００７４】
本実施形態の第１の特徴において、リレーノードＲＮが、第２無線基地局Ｔ-ＤｅＮＢによって送信されている報知情報に基づいて、第２無線基地局Ｔ-ＤｅＮＢとの間のＳＦＮ同期処理（同期処理）を行う工程Ｄと、リレーノードＲＮが、第２無線基地局Ｔ-ＤｅＮＢに対して、ＳＦＮ同期処理の結果を通知する工程Ｅとを有してもよい。
【００７５】
本実施形態の第１の特徴において、リレーノードＲＮは、ＳＦＮ同期処理が完了した後、第２無線基地局Ｔ-ＤｅＮＢ配下のリレーノード用の報知情報の送信を開始する工程Ｆを更に有してもよい。
【００７６】
本実施形態の第２の特徴は、第１無線基地局Ｓ-ＤｅＮＢから第２無線基地局Ｔ-ＤｅＮＢへのリレーノードＲＮのハンドオーバ手順において第１無線基地局Ｓ-ＤｅＮＢとして動作する無線基地局ＤｅＮＢであって、ハンドオーバ手順において、リレーノードＲＮに対して、下り信号を送信するようにスケジューリングを行う第２無線基地局Ｔ-ＤｅＮＢにおいて用いる予定のＭＢＳＦＮサブフレームの送信タイミングを通知するように構成されているＵｎインターフェイス機能１１を具備することを要旨とする。
【００７７】
本実施形態の第２の特徴において、Ｕｎインターフェイス機能１１は、リレーノードＲＮに対して、「ＨＯ  Ｃｏｍｍａｎｄ」によって、ＭＢＳＦＮサブフレームの送信タイミングを通知するように構成されていてもよい。
【００７８】
本実施形態の第３の特徴は、リレーノードＲＮであって、第１無線基地局Ｓ-ＤｅＮＢから第２無線基地局Ｔ-ＤｅＮＢへのハンドオーバ手順において、第１無線基地局Ｓ-ＤｅＮＢから、下り信号を送信するようにスケジューリングを行う第２無線基地局Ｔ-ＤｅＮＢで用いる予定のＭＢＳＦＮサブフレームの送信タイミングを取得するように構成されているＵｎインターフェイス機能２１と、ＭＢＳＦＮサブフレームの送信タイミング以外のタイミングで下り信号を送信するようにスケジューリングを行うように構成されているＵｕインターフェイス機能２２とを具備することを要旨とする。
【００７９】
本実施形態の第３の特徴において、Ｕｎインターフェイス機能２１は、第１無線基地局Ｓ-ＤｅＮＢによって送信された「ＨＯ  Ｃｏｍｍａｎｄ」から、第２無線基地局Ｔ-ＤｅＮＢで用いる予定のＭＢＳＦＮサブフレームの送信タイミングを取得するように構成されていてもよい。
【００８０】
本実施形態の第３の特徴において、Ｕｎインターフェイス機能２１は、第２無線基地局Ｔ-ＤｅＮＢによって送信されている報知情報に基づいて、第２無線基地局Ｔ-ＤｅＮＢとの間のＳＦＮ同期処理を行うように構成されており、第２無線基地局Ｔ-ＤｅＮＢに対して、ＳＦＮ同期処理の結果を通知するように構成されていてもよい。
【００８１】
本実施形態の第３の特徴において、Ｕｕインターフェイス機能２２は、ＳＦＮ同期処理が完了した後、第２無線基地局Ｔ-ＤｅＮＢ配下のリレーノード用の報知情報の送信を開始するように構成されていてもよい。
【００８２】
なお、上述の無線基地局ＤｅＮＢやリレーノードＲＮやコアノードＣＮや移動局ＵＥの動作は、ハードウェアによって実施されてもよいし、プロセッサによって実行されるソフトウェアモジュールによって実施されてもよいし、両者の組み合わせによって実施されてもよい。
【００８３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮやコアノードＣＮや移動局ＵＥ内に設けられていてもよい。また、かかる記憶媒体及びプロセッサは、ディスクリートコンポーネントとして無線基地局ＤｅＮＢやリレーノードＲＮやコアノードＣＮや移動局ＵＥ内に設けられていてもよい。
【００８５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８６】
ＤｅＮＢ…無線基地局
１１…Ｕｎインターフェイス機能
１２…Ｘ２インターフェイス機能
ＲＮ…リレーノード
２１…Ｕｕインターフェイス機能
２２…Ｕｎインターフェイス機能
【図１】
0005513022.tif 000002
【図２】
0005513022.tif 000003
【図３】
0005513022.tif 000004
【図４】
0005513022.tif 000005
【図５】
0005513022.tif 000006
【図６】
0005513022.tif 000007